(57)【要約】【課題】振動減衰性能の低下を防止できる渦電流式ダンパを提供する。【解決手段】渦電流式ダンパ１は、ねじ軸７と、複数の第１永久磁石３と、複数の第２永久磁石４と、円筒形状の磁石保持部材２と、導電性を有する円筒形状の導電部材５と、ねじ軸７と噛み合うボールナット６と、強磁性リング部１２と、を備える。第１永久磁石３は、ねじ軸７の周りに円周方向に沿って配列される。第２永久磁石４は、第１永久磁石３同士の間に配置され、第１永久磁石３と磁極の配置が反転する。磁石保持部材２は、第１永久磁石３及び第２永久磁石４を保持する。導電部材５は、第１永久磁石３及び第２永久磁石４と隙間を空けて対向する。ボールナット６は、磁石保持部材２及び導電部材５の内部に配置されて磁石保持部材２に固定される。強磁性リング部１２は、磁石保持部材２の外周面における軸方向の２つの端部にそれぞれ設けられる。【選択図】図２
2019078332.tif 000002
【特許請求の範囲】
【請求項１】
ねじ軸と、
前記ねじ軸の周りに円周方向に沿って配列された複数の第１永久磁石と、
前記第１永久磁石同士の間に配置され、前記第１永久磁石と磁極の配置が反転した複数の第２永久磁石と、
前記第１永久磁石及び前記第２永久磁石を保持する円筒形状の磁石保持部材と、
導電性を有し、前記第１永久磁石及び前記第２永久磁石と隙間を空けて対向する円筒形状の導電部材と、
前記磁石保持部材及び前記導電部材の内部に配置されて前記磁石保持部材又は前記導電部材に固定され、前記ねじ軸と噛み合うボールナットと、
前記第１永久磁石、前記第２永久磁石、前記導電部材及び前記磁石保持部材の中で形成される磁気回路の磁界を前記第１永久磁石、前記第２永久磁石、前記導電部材及び前記磁石保持部材の中に閉じ込める磁界閉込め機構と、を備える、渦電流式ダンパ。
【請求項２】
請求項１に記載の渦電流式ダンパであって、
前記磁石保持部材が前記導電部材の内側に配置され、
前記第１永久磁石及び前記第２永久磁石が前記磁石保持部材の外周面に取り付けられ、
前記ボールナットが前記磁石保持部材に固定された、渦電流式ダンパ。
【請求項３】
請求項２に記載の渦電流式ダンパであって、
前記磁界閉込め機構は、前記磁石保持部材の外周面における軸方向の２つの端部にそれぞれ設けられた強磁性リング部を含む、渦電流式ダンパ。
【請求項４】
請求項２又は請求項３に記載の渦電流式ダンパであって、
前記磁界閉込め機構は、前記磁石保持部材の少なくとも内周面を覆う強磁性層を含む、渦電流式ダンパ。
【請求項５】
請求項１に記載の渦電流式ダンパであって、
前記導電部材が前記磁石保持部材の内側に配置され、
前記第１永久磁石及び前記第２永久磁石が前記磁石保持部材の内周面に取り付けられ、
前記ボールナットが前記導電部材に固定された、渦電流式ダンパ。
【請求項６】
請求項５に記載の渦電流式ダンパであって、
前記磁界閉込め機構は、前記導電部材の外周面における軸方向の２つの端部にそれぞれ設けられた強磁性リング部を含む、渦電流式ダンパ。
【請求項７】
請求項５又は請求項６に記載の渦電流式ダンパであって、
前記磁界閉込め機構は、前記導電部材の少なくとも内周面を覆う強磁性層を含む、渦電流式ダンパ。
【請求項８】
請求項１に記載の渦電流式ダンパであって、
前記磁石保持部材が前記導電部材の内側に配置され、
前記第１永久磁石及び前記第２永久磁石が前記磁石保持部材の外周面に取り付けられ、
前記ボールナットが前記導電部材に固定された、渦電流式ダンパ。
【請求項９】
請求項８に記載の渦電流式ダンパであって、
前記磁界閉込め機構は、前記磁石保持部材の外周面における軸方向の２つの端部にそれぞれ設けられた強磁性リング部を含む、渦電流式ダンパ。
【請求項１０】
請求項８又は請求項９に記載の渦電流式ダンパであって、
前記磁界閉込め機構は、前記磁石保持部材の少なくとも内周面を覆う強磁性層を含む、渦電流式ダンパ。
【請求項１１】
請求項１に記載の渦電流式ダンパであって、
前記導電部材が前記磁石保持部材の内側に配置され、
前記第１永久磁石及び前記第２永久磁石が前記磁石保持部材の内周面に取り付けられ、
前記ボールナットが前記磁石保持部材に固定された、渦電流式ダンパ。
【請求項１２】
請求項１１に記載の渦電流式ダンパであって、
前記磁界閉込め機構は、前記導電部材の外周面における軸方向の２つの端部にそれぞれ設けられた強磁性リング部を含む、渦電流式ダンパ。
【請求項１３】
請求項１１又は請求項１２に記載の渦電流式ダンパであって、
前記磁界閉込め機構は、前記導電部材の少なくとも内周面を覆う強磁性層を含む、渦電流式ダンパ。
【発明の詳細な説明】
【技術分野】
【０００１】
本発明は、渦電流式ダンパに関する。
【背景技術】
【０００２】
地震等による振動から建築物を保護するために、建築物に制震装置が取り付けられる。制震装置は建築物に与えられた運動エネルギを他のエネルギ（例：熱エネルギ）に変換する。これにより、建築物の大きな揺れが抑制される。制震装置はたとえば、ダンパである。ダンパの種類はたとえば、オイル式、せん断抵抗式がある。一般に、建築物にはオイル式やせん断抵抗式ダンパが使用されることが多い。オイル式ダンパは、シリンダ内の非圧縮性流体を利用して振動を減衰させる。せん断抵抗式ダンパは、粘性流体のせん断抵抗を利用して振動を減衰させる。
【０００３】
しかしながら、特にせん断抵抗式ダンパで用いられる粘性流体の粘度は、粘性流体の温度に依存する。すなわち、せん断抵抗式ダンパの減衰力は、温度に依存する。したがって、せん断抵抗式ダンパを建築物に使用する際には、使用環境を考慮して適切な粘性流体を選択する必要がある。また、オイル式やせん断抵抗式などの流体を用いているダンパは、温度上昇等によって流体の圧力が上昇し、シリンダのシール材などの機械的な要素が破損する恐れがある。減衰力が温度に依存しないダンパとして、渦電流式ダンパがある。
【０００４】
従来の渦電流式ダンパはたとえば、特公平５−８６４９６号公報（特許文献１）に開示される。
【０００５】
特許文献１の渦電流式ダンパは、主筒に取り付けられた複数の永久磁石と、ねじ軸に接続されたヒステリシス材と、ねじ軸と噛み合うボールナットと、ボールナットに接続された副筒と、を備える。複数の永久磁石は、磁極の配置が交互に異なる。ヒステリシス材は導電性を有する。以下では、ヒステリシス材を導電部材ともいう。主筒を磁石保持部材ともいう。ヒステリシス材は、複数の永久磁石と対向し、相対回転可能である。この渦電流式ダンパに運動エネルギが与えられると、副筒及びボールナットが主筒の案内によって軸方向に移動し、ボールねじの作用によってヒステリシス材が回転する。これにより、ヒステリシス損により運動エネルギが消費される。また、ヒステリシス材に渦電流が発生するため、渦電流損により運動エネルギが消費される、と特許文献１には記載されている。
【先行技術文献】
【特許文献】
【０００６】
【特許文献１】特公平５−８６４９６号公報
【発明の概要】
【発明が解決しようとする課題】
【０００７】
特許文献１の渦電流式ダンパでは、複数の永久磁石が円周方向に沿って配列される。このダンパに運動エネルギが与えられると、永久磁石のそれぞれによって生じる磁界の中で導電部材（ヒステリシス材）が回転する。その際、導電部材の表面のうち、永久磁石のそれぞれと対向する領域にそれぞれ渦電流が発生する。これにより、回転する導電部材に制動力が与えられ、減衰力が発生する。
【０００８】
ここで、ボールナットは複数の鋼球を介してねじ軸と噛み合う。制震装置として用いられる渦電流式ダンパでは、振動を減衰するために、ねじ軸又はボールナットが軸方向に往復運動する。その際、ボールねじによる直線運動と回転運動との相互変換を円滑に行えることが重要である。とりわけ、往復運動の切り替わり時に、バックラッシが発生したり、偏荷重が作用したりしないようにすることが重要である。そのため、ボールナットとねじ軸との噛み合い部には、極めて高い寸法精度が要求される。
【０００９】
しかしながら、渦電流式ダンパにおいて、永久磁石によって形成される磁気回路の磁界が漏れてボールナットに到達した場合、下記の問題が発生する。ボールねじを構成する鋼球の材質はたとえば、高炭素クロム鋼等のように磁性及び導電性を有する材料である。そのため、磁気回路の磁界が漏れてボールナットに到達すると、運動する鋼球が磁界から静磁力を受ける。また、運動する鋼球に渦電流が発生するため、運動する鋼球にローレンツ力が作用する。これにより、鋼球の円滑な運動が阻害される。その結果、ボールねじによる運動変換効率が低下し、振動に対する減衰性能が低下するおそれがある。
【００１０】
要するに、従来の渦電流式ダンパでは、磁気回路の磁界の漏れに起因して、振動に対する減衰性能が低下するおそれがある。
【００１１】
本発明の目的は、磁気回路の磁界の漏れに起因する振動減衰性能の低下を防止できる渦電流式ダンパを提供することである。
【課題を解決するための手段】
【００１２】
本実施形態の渦電流式ダンパは、ねじ軸と、ねじ軸の周りに円周方向に沿って配列された複数の第１永久磁石と、第１永久磁石同士の間に配置され、第１永久磁石と磁極の配置が反転した複数の第２永久磁石と、第１永久磁石及び第２永久磁石を保持する円筒形状の磁石保持部材と、導電性を有し、第１永久磁石及び第２永久磁石と隙間を空けて対向する円筒形状の導電部材と、磁石保持部材及び導電部材の内部に配置されて磁石保持部材又は導電部材に固定され、ねじ軸と噛み合うボールナットと、第１永久磁石、第２永久磁石、導電部材及び磁石保持部材の中で形成される磁気回路の磁界を第１永久磁石、第２永久磁石、導電部材及び磁石保持部材の中に閉じ込める磁界閉込め機構と、を備える。
【発明の効果】
【００１３】
本実施形態の渦電流式ダンパによれば、磁界閉込め機構によって磁気回路の磁界の漏れが防止され、ボールナットへの磁界の到達が防止される。そのため、磁気回路の磁界の漏れに起因する振動減衰性能の低下を防止できる。
【図面の簡単な説明】
【００１４】
【図１】図１は、渦電流式ダンパの軸方向に沿った面での断面図である。
【図２】図２は、図１の一部拡大図である。
【図３】図３は、渦電流式ダンパの軸方向に垂直な面での断面図である。
【図４】図４は、図３の一部拡大図である。
【図５】図５は、第１永久磁石及び第２永久磁石を示す斜視図である。
【図６】図６は、渦電流式ダンパの磁気回路を示す模式図である。
【図７】図７は、磁極の配置が円周方向である第１永久磁石及び第２永久磁石を示す斜視図である。
【図８】図８は、図７の渦電流式ダンパの磁気回路を示す模式図である。
【図９】図９は、軸方向に複数個配置された第１永久磁石及び第２永久磁石を示す斜視図である。
【図１０】図１０は、第２実施形態の渦電流式ダンパの軸方向に沿った面での断面図である。
【図１１】図１１は、第２実施形態の渦電流式ダンパの軸方向に垂直な面での断面図である。
【図１２】図１２は、第３実施形態の渦電流式ダンパの軸方向に沿った面での断面図である。
【図１３】図１３は、図１２の一部拡大図である。
【図１４】図１４は、第４実施形態の渦電流式ダンパの軸方向に沿った面での断面図である。
【図１５】図１５は、第５実施形態の渦電流式ダンパの軸方向に沿った面での断面図である。
【図１６】図１６は、第５実施形態の渦電流式ダンパの軸方向に垂直な面での断面図である。
【図１７】図１７は、第６実施形態の渦電流式ダンパの軸方向に沿った面での断面図である。
【図１８】図１８は、第６実施形態の渦電流式ダンパの軸方向に垂直な面での断面図である。
【図１９】図１９は、第７実施形態の渦電流式ダンパの軸方向に沿った面での断面図である。
【図２０】図２０は、第８実施形態の渦電流式ダンパの軸方向に沿った面での断面図である。
【発明を実施するための形態】
【００１５】
本実施形態の渦電流式ダンパは、ねじ軸と、複数の第１永久磁石と、複数の第２永久磁石と、円筒形状の磁石保持部材と、導電性を有する円筒形状の導電部材と、ねじ軸と噛み合うボールナットと、磁界閉込め機構と、を備える。第１永久磁石は、ねじ軸の周りに円周方向に沿って配列される。第２永久磁石は、第１永久磁石同士の間に配置され、第１永久磁石と磁極の配置が反転する。磁石保持部材は、第１永久磁石及び第２永久磁石を保持する。導電部材は、第１永久磁石及び第２永久磁石と隙間を空けて対向する。ボールナットは、磁石保持部材及び導電部材の内部に配置されて磁石保持部材又は導電部材に固定される。磁界閉込め機構は、第１永久磁石、第２永久磁石、導電部材及び磁石保持部材の中で形成される磁気回路の磁界を第１永久磁石、第２永久磁石、導電部材及び磁石保持部材の中に閉じ込める。
【００１６】
本実施形態の渦電流式ダンパによれば、ダンパに運動エネルギが与えられると、ねじ軸が軸方向に移動する。ねじ軸の軸方向の移動により、ボールナットが回転する。これにより、第１及び第２永久磁石のそれぞれによって生じる磁界の中で、導電部材が第１及び第２の永久磁石に対して相対回転する。その際、導電部材の表面のうち、第１及び第２永久磁石のそれぞれと対向する領域にそれぞれ渦電流が発生する。これにより、回転する導電部材に制動力が与えられ、減衰力が発生する。
【００１７】
ここで、第１及び第２永久磁石によって形成される磁気回路の磁界の漏れは、磁界閉込め機構によって防止される。これにより、ボールナットへの磁界の到達が防止される。その場合、運動する鋼球が静磁力を受けない。また、運動する鋼球にローレンツ力が作用しない。そのため、鋼球が円滑に運動できる。したがって、磁気回路の磁界の漏れに起因する振動減衰性能の低下を防止できる。
【００１８】
上記した本実施形態の渦電流式ダンパは、下記の（１）〜（４）のいずれかの構成を採用することができる。
【００１９】
（１）磁石保持部材が導電部材の内側に配置される。第１永久磁石及び第２永久磁石が磁石保持部材の外周面に取り付けられる。ボールナットが磁石保持部材に固定される。
【００２０】
この場合、導電部材の内周面が、第１及び第２永久磁石と隙間を空けて対向する。ねじ軸の軸方向の移動により、ボールナット及び磁石保持部材が回転する。一方、導電部材は回転しない。これにより、第１及び第２永久磁石から導電部材を通過する磁束が変化し、導電部材の内周面に渦電流が発生する。この渦電流によって反磁界が発生し、回転する磁石保持部材に反力（制動力）が与えられる。その結果、ねじ軸が減衰力を受ける。
【００２１】
また、この場合、導電部材が磁石保持部材の外側に配置されて外気と接する。これにより、導電部材は外気によって冷却される。その結果、導電部材の温度上昇を抑制できる。
【００２２】
（２）導電部材が磁石保持部材の内側に配置される。第１永久磁石及び第２永久磁石が磁石保持部材の内周面に取り付けられる。ボールナットが導電部材に固定される。
【００２３】
この場合、導電部材の外周面が、第１及び第２永久磁石と隙間を空けて対向する。ねじ軸の軸方向の移動により、ボールナット及び導電部材が回転する。一方、磁石保持部材は回転しない。これにより、第１及び第２永久磁石から導電部材を通過する磁束が変化し、導電部材の外周面に渦電流が発生する。この渦電流によって反磁界が発生し、回転する導電部材に反力が与えられる。その結果、ねじ軸が減衰力を受ける。
【００２４】
また、この場合、磁石保持部材が導電部材の外側に配置されて外気と接する。これにより、磁石保持部材は外気によって冷却される。その結果、第１及び第２永久磁石の温度上昇を抑制できる。
【００２５】
（３）磁石保持部材が導電部材の内側に配置される。第１永久磁石及び第２永久磁石が磁石保持部材の外周面に取り付けられる。ボールナットが導電部材に固定される。
【００２６】
この場合、導電部材の内周面が、第１及び第２永久磁石と隙間を空けて対向する。ねじ軸の軸方向の移動により、ボールナット及び導電部材が回転する。一方、磁石保持部材は回転しない。これにより、第１及び第２永久磁石から導電部材を通過する磁束が変化し、導電部材の内周面に渦電流が発生する。この渦電流によって反磁界が発生し、回転する導電部材に反力が与えられる。その結果、ねじ軸が減衰力を受ける。
【００２７】
また、この場合、導電部材が磁石保持部材の外側に配置されて外気と接する。これにより、回転する導電部材は外気によって効率良く冷却される。その結果、導電部材の温度上昇を抑制できる。
【００２８】
（４）導電部材が磁石保持部材の内側に配置される。第１永久磁石及び第２永久磁石が磁石保持部材の内周面に取り付けられる。ボールナットが磁石保持部材に固定される。
【００２９】
この場合、導電部材の外周面が、第１及び第２永久磁石と隙間を空けて対向する。ねじ軸の軸方向の移動により、ボールナット及び磁石保持部材が回転する。一方、導電部材は回転しない。これにより、第１及び第２永久磁石から導電部材を通過する磁束が変化し、導電部材の外周面に渦電流が発生する。この渦電流によって反磁界が発生し、回転する磁石保持部材に反力が与えられる。その結果、ねじ軸が減衰力を受ける。
【００３０】
また、この場合、磁石保持部材が導電部材の外側に配置されて外気と接する。これにより、回転する磁石保持部材は外気によって効率良く冷却される。その結果、第１及び第２永久磁石の温度上昇を抑制できる。
【００３１】
構成（１）及び（３）の渦電流式ダンパ、すなわち磁石保持部材が導電部材の内側に配置される渦電流式ダンパでは、磁界閉込め機構は、磁石保持部材の外周面における軸方向の２つの端部にそれぞれ設けられた強磁性リング部を含む、ことが好ましい。この場合、第１永久磁石からの磁界の一部は、強磁性リング部から導電部材に導かれて第１永久磁石に戻るか、又は導電部材から強磁性リング部に導かれて第１永久磁石に戻る。同様に、第２永久磁石からの磁界の一部は、強磁性リング部から導電部材に導かれて第２永久磁石に戻るか、又は導電部材から強磁性リング部に導かれて第２永久磁石に戻る。要するに、ボールナットから離れた第１及び第２永久磁石の近傍で強磁性リング部による磁気回路が形成される。この磁気回路の磁界はボールナットに向かわない。そのため、第１及び第２永久磁石によって形成される磁気回路の磁界の漏れが防止される。その結果、ボールナットへの磁界の到達を有効に防止できる。
【００３２】
構成（１）及び（３）の渦電流式ダンパ、すなわち磁石保持部材が導電部材の内側に配置される渦電流式ダンパでは、磁界閉込め機構は、磁石保持部材の少なくとも内周面を覆う強磁性層を含んでもよい。この場合、第１永久磁石からの磁界の一部がボールナットに向かったとしても、その一部の磁界は強磁性層の内部に広がる。同様に、第２永久磁石からの磁界の一部がボールナットに向かったとしても、その一部の磁界は強磁性層の内部に広がる。要するに、第１及び第２永久磁石からの磁界の一部は強磁性層で遮断される。そのため、第１及び第２永久磁石によって形成される磁気回路の磁界の漏れが防止される。その結果、ボールナットへの磁界の到達を有効に防止できる。
【００３３】
構成（２）及び（４）の渦電流式ダンパ、すなわち導電部材が磁石保持部材の内側に配置される渦電流式ダンパでは、磁界閉込め機構は、導電部材の外周面における軸方向の２つの端部にそれぞれ設けられた強磁性リング部を含む、ことが好ましい。この場合、第１永久磁石からの磁界の一部は、強磁性リング部から導電部材に導かれて第１永久磁石に戻るか、又は導電部材から強磁性リング部に導かれて第１永久磁石に戻る。同様に、第２永久磁石からの磁界の一部は、強磁性リング部から導電部材に導かれて第２永久磁石に戻るか、又は導電部材から強磁性リング部に導かれて第２永久磁石に戻る。要するに、ボールナットから離れた第１及び第２永久磁石の近傍で強磁性リング部による磁気回路が形成される。この磁気回路の磁界はボールナットに向かわない。そのため、ボールナットへの磁界の到達を有効に防止できる。
【００３４】
構成（２）及び（４）の渦電流式ダンパ、すなわち導電部材が磁石保持部材の内側に配置される渦電流式ダンパでは、磁界閉込め機構は、導電部材の少なくとも内周面を覆う強磁性層を含んでもよい。この場合、第１永久磁石からの磁界の一部がボールナットに向かったとしても、その一部の磁界は強磁性層の内部に広がる。同様に、第２永久磁石からの磁界の一部がボールナットに向かったとしても、その一部の磁界は強磁性層の内部に広がる。要するに、第１及び第２永久磁石からの磁界の一部は強磁性層で遮断される。そのため、ボールナットへの磁界の到達を有効に防止できる。
【００３５】
なお、第１及び第２永久磁石からボールナットに向かう磁界を遮断するのみの観点では、ボールナットの外周を強磁性層で覆ってもよいかもしれない。ただしこの場合、強磁性層に渦電流が生じるため、強磁性層が発熱する。これにより、ボールナットの温度が上昇するおそれがある。
【００３６】
ここで、強磁性リング部が磁石保持部材の外周面に設けられる場合、強磁性リング部の外周面と導電部材の内周面との間の隙間は小さいのが好ましい。同様に、強磁性リング部が導電部材の外周面に設けられる場合、強磁性リング部の外周面と磁石保持部材の内周面との間の隙間は小さいのが好ましい。それらの隙間が小さければ、強磁性リング部による磁気回路が十分に形成される。
【００３７】
強磁性リング部と第１及び第２永久磁石との間の軸方向での隙間は大きいのが好ましい。その隙間が大きければ、強磁性リング部による磁気回路が十分に形成される。
【００３８】
強磁性リング部が磁石保持部材に設けられる場合、強磁性リング部は磁石保持部材と別個に製作されてもよいし、磁石保持部材と一体で製作されてもよい。同様に、強磁性リング部が導電部材に設けられる場合、強磁性リング部は導電部材と別個に製作されてもよいし、導電部材と一体で製作されてもよい。
【００３９】
強磁性リング部の材質は、強磁性材である限り、特に限定されない。ただし、強磁性リング部の材質は、透磁率の高い鋼等が好ましい。強磁性リング部の材質はたとえば、炭素鋼、鋳鉄等である。
【００４０】
強磁性層の材質は、強磁性材である限り、特に限定されない。ただし、強磁性層の材質は、透磁率の高い鋼等が好ましい。強磁性層の材質はたとえば、炭素鋼、鋳鉄等である。
【００４１】
本実施形態の渦電流式ダンパでは、第１永久磁石は磁石保持部材の軸方向に沿って複数個配置されるとともに、第２永久磁石は磁石保持部材の軸方向に沿って複数個配置されてもよい。
【００４２】
この場合、１つの第１永久磁石及び１つの第２永久磁石それぞれのサイズが小さくても、複数の第１及び第２永久磁石の総サイズは大きい。したがって、渦電流式ダンパの減衰力を高くしつつ、第１及び第２永久磁石のコストは安価で済む。また、第１及び第２永久磁石の磁石保持部材への取り付けも容易である。
【００４３】
以下、図面を参照して、本実施形態の渦電流式ダンパについて説明する。
【００４４】
［第１実施形態］
図１は、渦電流式ダンパの軸方向に沿った面での断面図である。図２は、図１の一部拡大図である。図１及び図２を参照して、渦電流式ダンパ１は、磁石保持部材２と、複数の第１永久磁石３と、複数の第２永久磁石４と、導電部材５と、ボールナット６と、ねじ軸７と、２つの強磁性リング部１２（図２参照）とを備える。
【００４５】
［磁石保持部材］
磁石保持部材２は、ねじ軸７を中心軸とする円筒形状である。磁石保持部材２は、ボールナット６及びねじ軸７を収容可能である。磁石保持部材２の材質は、特に限定されない。しかしながら、磁石保持部材２の材質は、透磁率の高い鋼等が好ましい。磁石保持部材２の材質はたとえば、炭素鋼、鋳鉄等の強磁性材である。この場合、磁石保持部材２は、ヨークとしての役割を果たす。すなわち、第１永久磁石３及び第２永久磁石４からの磁束が外部に漏れにくくなり、渦電流式ダンパ１の減衰力が高まる。後述するように、磁石保持部材２は導電部材５に対して回転可能である。
【００４６】
［第１永久磁石及び第２永久磁石］
図３は、渦電流式ダンパの軸方向に垂直な面での断面図である。図４は、図３の一部拡大図である。図５は、第１永久磁石及び第２永久磁石を示す斜視図である。図３〜図５を参照して、複数の第１永久磁石３及び第２永久磁石４は、磁石保持部材２の外周面に取り付けられる。第１永久磁石３は、ねじ軸の周りに磁石保持部材２の円周方向に沿って配列される。同様に、第２永久磁石４は、ねじ軸の周りに磁石保持部材２の円周方向に沿って配列される。第２永久磁石４は、第１永久磁石３同士の間に配置される。つまり、磁石保持部材２の円周方向に沿って第１永久磁石３と第２永久磁石４は、交互に配置される。
【００４７】
第１永久磁石３及び第２永久磁石４の磁極は、磁石保持部材２の径方向に配置される。第２永久磁石４の磁極の配置は第１永久磁石３の磁極の配置と反転している。たとえば図４及び図５を参照して、磁石保持部材２の径方向において、第１永久磁石３のＮ極は外側に配置され、そのＳ極は内側に配置される。そのため、第１永久磁石３のＳ極が磁石保持部材２と接する。一方、磁石保持部材２の径方向において、第２永久磁石４のＮ極は内側に配置され、そのＳ極は外側に配置される。そのため、第２永久磁石４のＮ極が磁石保持部材２と接する。
【００４８】
第２永久磁石４のサイズ及び特質は第１永久磁石３のサイズ及び特質と同じである。第１永久磁石３及び第２永久磁石４はたとえば、接着剤により磁石保持部材２に固定される。なお、接着剤に限らず、第１永久磁石３及び第２永久磁石４はネジ等で固定されてもよいことはもちろんである。
【００４９】
図２及び図４を参照し、磁石保持部材２の外周面に２つの強磁性リング部１２が設けられる。強磁性リング部１２は、磁石保持部材２の軸方向の２つの端部にそれぞれ設けられる。強磁性リング部１２は、磁石保持部材２の外周面から突出し、導電部材５の内周面と近接する。また、軸方向において、強磁性リング部１２と第１及び第２永久磁石３、４との間に所定の隙間が設けられる。
【００５０】
［導電部材］
図１及び図２を参照して、導電部材５は、ねじ軸７を中心軸とする円筒形状である。導電部材５は、磁石保持部材２、第１永久磁石３、第２永久磁石４、ボールナット６及びねじ軸７を収容可能である。つまり、磁石保持部材２が導電部材５の内側に同心状に配置される。導電部材５の内周面が、第１永久磁石３及び第２永久磁石４と隙間を空けて対向する。後述するように、導電部材５の表面（内周面）に渦電流を発生させるため、導電部材５は磁石保持部材２と相対的に回転する。そのため、導電部材５と第１永久磁石３及び第２永久磁石４との間には、隙間が設けられる。導電部材５に取付具８ａが接続される。導電部材５と一体の取付具８ａは、建物支持面又は建物内に固定される。そのため、導電部材５はねじ軸７周りに回転しない。
【００５１】
導電部材５は、導電性を有する。導電部材５の材質はたとえば、炭素鋼、鋳鉄等の強磁性材である。その他に、導電部材５の材質は、フェライト系ステンレス鋼等の弱磁性材であってもよいし、アルミニウム合金、オーステナイト系ステンレス鋼、銅合金等の非磁性材であってもよい。
【００５２】
導電部材５は磁石保持部材２を回転可能に支持する。たとえば図１を参照して、磁石保持部材２の径方向において、磁石保持部材２と導電部材５との間には、ラジアル軸受９が設けられる。また、磁石保持部材２の軸方向において、磁石保持部材２と導電部材５との間には、スラスト軸受１０が設けられる。なお、ラジアル軸受９やスラスト軸受１０の種類は、特に限定されることなく、ボール式、ローラー式、滑り式などでもよいことはもちろんである。
【００５３】
［ボールナット］
ボールナット６は、磁石保持部材２及び導電部材５の内部に配置される。ボールナット６は、磁石保持部材２に固定される。したがって、ボールナット６が回転すれば、磁石保持部材２も回転する。ボールナット６の種類は、特に限定されない。ボールナット６は、周知のボールナットを用いてよい。ボールナット６の内周面には、ねじ部が形成されている。
【００５４】
［ねじ軸］
ねじ軸７は、ボールナット６を貫通し、ボールを介してボールナット６と噛み合う。ねじ軸７の外周面には、ボールナット６のねじ部に対応するねじ部が形成されている。ねじ軸７及びボールナット６は、ボールねじを構成する。ボールねじは、ねじ軸７の軸方向の移動をボールナット６の回転運動に変換する。ねじ軸７に取付具８ｂが接続される。ねじ軸７と一体の取付具８ｂは、建物支持面又は建物内に固定される。渦電流式ダンパ１が、たとえば建物内と建物支持面との間の免震層に設置される事例の場合、ねじ軸７と一体の取付具８ｂが建物内に固定され、導電部材５と一体の取付具８ａは建物支持面に固定される。渦電流式ダンパ１が、たとえば建物内の任意の層間に設置される事例の場合は、ねじ軸７と一体の取付具８ｂが任意の層間の上部梁側に固定され、導電部材５と一体の取付具８ａは任意の層間の下部梁側に固定される。そのため、ねじ軸７は軸周りに回転しない。
【００５５】
ねじ軸７と一体の取付具８ｂ及び導電部材５と一体の取付具８ａの固定は、上述の説明の逆であってもよい。すなわち、ねじ軸７と一体の取付具８ｂが建物支持面に固定され、導電部材５と一体の取付具８ａが建物内に固定されてもよい。
【００５６】
ねじ軸７は、磁石保持部材２及び導電部材５の内部に軸方向に沿って進退移動可能である。したがって、振動等により、渦電流式ダンパ１に運動エネルギが与えられると、ねじ軸７が軸方向に移動する。ねじ軸７が軸方向に移動すれば、ボールねじの作用によってボールナット６がねじ軸７周りに回転する。ボールナット６の回転に伴い、磁石保持部材２が回転する。これにより、磁石保持部材２と一体の第１永久磁石３及び第２永久磁石４が導電部材５に対して相対回転するため、導電部材５には渦電流が発生する。その結果、渦電流式ダンパ１に減衰力が生じ、振動を減衰させる。
【００５７】
本実施形態の渦電流式ダンパ１によれば、ボールナット６から離れた第１及び第２永久磁石３、４の近傍で強磁性リング部１２による磁気回路が形成される。この磁気回路の磁界はボールナット６に向かわない。つまり、強磁性リング部１２が磁界閉込め機構として機能する。これにより、第１及び第２永久磁石３、４によって形成される磁気回路の磁界の漏れが防止され、ボールナット６への磁界の到達が防止される。したがって、磁気回路の磁界の漏れに起因する振動減衰性能の低下を防止できる。
【００５８】
続いて、渦電流の発生原理及び渦電流による減衰力の発生原理について説明する。
【００５９】
［渦電流による減衰力］
図６は、渦電流式ダンパの磁気回路を示す模式図である。図６を参照して、第１永久磁石３の磁極の配置は、隣接する第２永久磁石４の磁極の配置と反転している。したがって、第１永久磁石３のＮ極から出た磁束は、隣接する第２永久磁石４のＳ極に到達する。第２永久磁石のＮ極から出た磁束は、隣接する第１永久磁石３のＳ極に到達する。これにより、第１永久磁石３、第２永久磁石４、導電部材５及び磁石保持部材２の中で、磁気回路が形成される。第１永久磁石３及び第２永久磁石４と、導電部材５との間の隙間は十分に小さいため、導電部材５は磁界の中にある。
【００６０】
磁石保持部材２が回転すると（図６中の矢印参照）、第１永久磁石３及び第２永久磁石４は導電部材５に対して移動する。そのため、導電部材５の表面（図６では第１永久磁石３及び第２永久磁石４が対向する導電部材５の内周面）を通過する磁束が変化する。これにより導電部材５の表面（図６では導電部材５の内周面）に渦電流が発生する。渦電流が発生すると、新たな磁束（反磁界）が発生する。この新たな磁束は、磁石保持部材２（第１永久磁石３及び第２永久磁石４）と導電部材５との相対回転を妨げる。本実施形態の場合、磁石保持部材２の回転が妨げられる。磁石保持部材２の回転が妨げられれば、磁石保持部材２と一体のボールナット６の回転も妨げられる。ボールナット６の回転が妨げられれば、ねじ軸７の軸方向の移動も妨げられる。これが渦電流式ダンパ１の減衰力である。振動等による運動エネルギにより発生する渦電流は、導電部材の温度を上昇させる。すなわち、渦電流式ダンパに与えられた運動エネルギが熱エネルギに変換され、減衰力が得られる。
【００６１】
本実施形態の渦電流式ダンパによれば、第１永久磁石の磁極の配置が、磁石保持部材の円周方向において第１永久磁石と隣接する第２永久磁石の磁極の配置と反転している。そのため、第１永久磁石及び第２永久磁石による磁界が磁石保持部材の円周方向に発生する。また、磁石保持部材の円周方向に第１永久磁石及び第２永久磁石を複数配列することにより、導電部材に到達する磁束の量が増える。これにより、導電部材に発生する渦電流が大きくなり、渦電流式ダンパの減衰力が高まる。
【００６２】
［磁極の配置］
上述の説明では、第１永久磁石及び第２永久磁石の磁極の配置は、磁石保持部材の径方向である場合について説明した。しかしながら、第１永久磁石及び第２永久磁石の磁極の配置は、これに限定されない。
【００６３】
図７は、磁極の配置が円周方向である第１永久磁石及び第２永久磁石を示す斜視図である。図７を参照して、第１永久磁石３及び第２永久磁石４の磁極の配置は、磁石保持部材２の円周方向に沿う。この場合であっても、第１永久磁石３の磁極の配置は、第２永久磁石４の磁極の配置と反転している。第１永久磁石３と第２永久磁石４との間には、強磁性体のポールピース１１が設けられる。
【００６４】
図８は、図７の渦電流式ダンパの磁気回路を示す模式図である。図８を参照して、第１永久磁石３のＮ極から出た磁束は、ポールピース１１を通って、第１永久磁石３のＳ極に到達する。第２永久磁石４についても同様である。これにより、第１永久磁石３、第２永久磁石４、ポールピース１１及び導電部材５の中で、磁気回路が形成される。これにより、上述と同様に、渦電流式ダンパ１に減衰力が得られる。
【００６５】
［永久磁石の軸方向への配置］
渦電流式ダンパの減衰力をより大きくするには、導電部材に発生する渦電流を大きくすればよい。大きい渦電流を発生させる１つの方法は、第１永久磁石及び第２永久磁石から出る磁束の量を増やせばよい。すなわち、第１永久磁石及び第２永久磁石のサイズを大きくすればよい。しかしながら、サイズの大きい第１永久磁石及び第２永久磁石はコストが高く、磁石保持部材への取り付けも容易ではない。
【００６６】
図９は、軸方向に複数個配置された第１永久磁石及び第２永久磁石を示す斜視図である。図９を参照して、第１永久磁石３及び第２永久磁石４は、１つの磁石保持部材２の軸方向に複数個配置されてもよい。これにより、１つの第１永久磁石３及び１つの第２永久磁石４それぞれのサイズは小さくて済む。一方で、磁石保持部材２に取り付けられた複数の第１永久磁石３及び第２永久磁石４の総サイズは大きい。したがって、第１永久磁石３及び第２永久磁石４のコストは安価で済む。また、第１永久磁石３及び第２永久磁石４の磁石保持部材２への取り付けも容易である。
【００６７】
軸方向に配置された第１永久磁石３及び第２永久磁石４の、磁石保持部材２の円周方向の配置は、上述と同様である。すなわち、磁石保持部材２の円周方向に沿って第１永久磁石３と第２永久磁石４は交互に配置される。
【００６８】
渦電流式ダンパ１の減衰力を高める観点から、磁石保持部材２の軸方向において、第１永久磁石３は第２永久磁石４と隣接するのが好ましい。この場合、磁気回路が磁石保持部材２の円周方向だけでなく、軸方向においても生じる。したがって、導電部材５に発生する渦電流が大きくなる。その結果、渦電流式ダンパ１の減衰力が大きくなる。
【００６９】
しかしながら、磁石保持部材２の軸方向において、第１永久磁石３及び第２永久磁石４の配置は特に限定されない。すなわち、磁石保持部材２の軸方向において、第１永久磁石３は第１永久磁石３の隣に配置されていてもよいし、第２永久磁石４の隣に配置されていてもよい。
【００７０】
上述した第１実施形態では、磁石保持部材が導電部材の内側に配置されて第１永久磁石及び第２永久磁石が磁石保持部材の外周面に取り付けられ、さらに磁石保持部材が回転する場合について説明した。しかしながら、本実施形態の渦電流式ダンパは、これに限定されない。
【００７１】
［第２実施形態］
第２実施形態の渦電流式ダンパは、磁石保持部材が導電部材の外側に配置され、回転しない。渦電流は、内側の導電部材が回転することで発生する。
【００７２】
図１０は、第２実施形態の渦電流式ダンパの軸方向に沿った面での断面図である。図１１は、第２実施形態の渦電流式ダンパの軸方向に垂直な面での断面図である。図１０及び図１１を参照して、磁石保持部材２は、導電部材５、ボールナット６及びねじ軸７を収容可能である。第１永久磁石３及び第２永久磁石４は、磁石保持部材２の内周面に取り付けられる。したがって、導電部材５の外周面が、第１永久磁石３及び第２永久磁石４と隙間を空けて対向する。
【００７３】
図１に示す取付具８ａは磁石保持部材２に接続される。そのため、磁石保持部材２はねじ軸７周りに回転しない。一方で、ボールナット６は、導電部材５に接続される。したがって、ボールナット６が回転すれば、導電部材５は回転する。このような構成の場合でも、上述したように、磁石保持部材２と一体の第１永久磁石３及び第２永久磁石４が導電部材５に対して相対回転するため、導電部材５には渦電流が発生する。その結果、渦電流式ダンパ１に減衰力が生じ、振動を減衰させることができる。
【００７４】
図１０及び図１１を参照して、本実施形態では、導電部材５の外周面に２つの強磁性リング部１２が設けられる。強磁性リング部１２は、導電部材５の軸方向の２つの端部にそれぞれ設けられる。強磁性リング部１２は、導電部材５の外周面から突出し、磁石保持部材２の内周面と近接する。また、軸方向において、強磁性リング部１２と第１及び第２永久磁石３、４との間に所定の隙間が設けられる。
【００７５】
本実施形態の渦電流式ダンパ１によれば、ボールナット６から離れた第１及び第２永久磁石３、４の近傍で強磁性リング部１２による磁気回路が形成される。つまり、上記の第１実施形態と同様に、強磁性リング部１２が磁界閉込め機構として機能する。これにより、第１及び第２永久磁石３、４によって形成される磁気回路の磁界の漏れが防止され、ボールナット６への磁界の到達が防止される。したがって、磁気回路の磁界の漏れに起因する振動減衰性能の低下を防止できる。
【００７６】
［第３実施形態］
第３実施形態の渦電流式ダンパは、磁石保持部材が導電部材の内側に配置され、回転しない。渦電流は、外側の導電部材が回転することで発生する。
【００７７】
図１２は、第３実施形態の渦電流式ダンパの軸方向に沿った面での断面図である。図１３は、図１２の一部拡大図である。図１２及び図１３を参照して、導電部材５は、磁石保持部材２、ボールナット６及びねじ軸７を収容可能である。第１永久磁石３及び第２永久磁石４は、磁石保持部材２の外周面に取り付けられる。したがって、導電部材５の内周面が、第１永久磁石３及び第２永久磁石４と隙間を空けて対向する。
【００７８】
取付具８ａは磁石保持部材２に接続される。そのため、磁石保持部材２はねじ軸７周りに回転しない。一方で、ボールナット６は、導電部材５に接続される。したがって、ボールナット６が回転すれば、導電部材５は回転する。このような構成の場合でも、上述したように、磁石保持部材２と一体の第１永久磁石３及び第２永久磁石４が導電部材５に対して相対回転するため、導電部材５には渦電流が発生する。その結果、渦電流式ダンパ１に減衰力が生じ、振動を減衰させることができる。
【００７９】
図１３を参照して、本実施形態では、上記の第１実施形態と同様に、磁石保持部材２の外周面に２つの強磁性リング部１２が設けられる。そのため、本実施形態の渦電流式ダンパ１によれば、上記の第１実施形態と同様に、ボールナット６への磁界の到達が防止される。したがって、磁気回路の磁界の漏れに起因する振動減衰性能の低下を防止できる。
【００８０】
［第４実施形態］
第４実施形態の渦電流式ダンパは、導電部材が磁石保持部材の内側に配置され、回転しない。渦電流は、外側の磁石保持部材が回転することで発生する。
【００８１】
図１４は、第４実施形態の渦電流式ダンパの軸方向に沿った面での断面図である。図１４を参照して、磁石保持部材２は、導電部材５、ボールナット６及びねじ軸７を収容可能である。第１永久磁石３及び第２永久磁石４は、磁石保持部材２の内周面に取り付けられる。したがって、導電部材５の外周面が、第１永久磁石３及び第２永久磁石４と隙間を空けて対向する。
【００８２】
図１に示す取付具８ａは導電部材５に接続される。そのため、導電部材５はねじ軸７周りに回転しない。一方で、ボールナット６は、磁石保持部材２に固定される。したがって、ボールナット６が回転すれば、磁石保持部材２は回転する。このような構成の場合でも、上述したように、磁石保持部材２と一体の第１永久磁石３及び第２永久磁石４が導電部材５に対して相対回転するため、導電部材５には渦電流が発生する。その結果、渦電流式ダンパ１に減衰力が生じ、振動を減衰させることができる。
【００８３】
図１４を参照して、本実施形態では、上記の第２実施形態と同様に、導電部材５の外周面に２つの強磁性リング部１２が設けられる。そのため、本実施形態の渦電流式ダンパ１によれば、上記の第２実施形態と同様に、ボールナット６への磁界の到達が防止される。したがって、磁気回路の磁界の漏れに起因する振動減衰性能の低下を防止できる。
【００８４】
上述したように、渦電流式ダンパが減衰力を発生すると、導電部材の温度は上昇する。第１永久磁石及び第２永久磁石は、導電部材と対向する。したがって、第１永久磁石及び第２永久磁石は、導電部材からの輻射熱によって温度が上昇するかもしれない。永久磁石の温度が上昇すれば、磁力が低下するおそれがある。
【００８５】
第１実施形態の渦電流式ダンパでは、導電部材５が磁石保持部材２の外側に配置される。つまり、導電部材５が最も外側に配置されて外気と接する。これにより、導電部材５は外気によって冷却される。そのため、導電部材５の温度上昇を抑制できる。その結果、第１永久磁石及び第２永久磁石の温度上昇を抑制できる。
【００８６】
第２実施形態の渦電流式ダンパでは、磁石保持部材２が導電部材５の外側に配置される。つまり、磁石保持部材２が最も外側に配置されて外気と接する。これにより、磁石保持部材２は外気によって冷却される。そのため、磁石保持部材２を通じて第１永久磁石及び第２永久磁石を冷却できる。その結果、第１永久磁石及び第２永久磁石の温度上昇を抑制できる。
【００８７】
第３実施形態の渦電流式ダンパでは、導電部材５が磁石保持部材２の外側に配置される。つまり、導電部材５が最も外側に配置されて外気と接する。また、導電部材５は、ねじ軸７周りに回転する。これにより、回転する導電部材５は外気によって効率良く冷却される。そのため、導電部材５の温度上昇を抑制できる。その結果、第１永久磁石及び第２永久磁石の温度上昇を抑制できる。
【００８８】
第４実施形態の渦電流式ダンパでは、磁石保持部材２が導電部材５の外側に配置される。つまり、磁石保持部材２が最も外側に配置されて外気と接する。また、磁石保持部材２は、ねじ軸７周りに回転する。これにより、回転する磁石保持部材２は外気によって効率良く冷却される。そのため、磁石保持部材２を通じて第１永久磁石及び第２永久磁石を冷却できる。その結果、第１永久磁石３及び第２永久磁石４の温度上昇を抑制できる。
【００８９】
［第５実施形態］
第５実施形態の渦電流式ダンパは、上記した第１実施形態の渦電流式ダンパを変形したものである。
【００９０】
図１５は、第５実施形態の渦電流式ダンパの軸方向に沿った面での断面図である。図１６は、第５実施形態の渦電流式ダンパの軸方向に垂直な面での断面図である。図１５及び図１６を参照して、本実施形態では、磁石保持部材２の内周面に強磁性層１３が設けられる。強磁性層１３は、磁石保持部材２の内周面に加えて、磁石保持部材２の内周面に連なる面に設けられてもよい。
【００９１】
本実施形態の渦電流式ダンパ１によれば、第１及び第２永久磁石３、４からボールナット６に向かう磁界は強磁性層１３で遮断される。つまり、強磁性層１３が磁界閉込め機構として機能する。これにより、第１及び第２永久磁石３、４によって形成される磁気回路の磁界の漏れが防止され、ボールナット６への磁界の到達が防止される。したがって、磁気回路の磁界の漏れに起因する振動減衰性能の低下を防止できる。
【００９２】
［第６実施形態］
第６実施形態の渦電流式ダンパは、上記した第２実施形態の渦電流式ダンパを変形したものである。
【００９３】
図１７は、第６実施形態の渦電流式ダンパの軸方向に沿った面での断面図である。図１８は、第６実施形態の渦電流式ダンパの軸方向に垂直な面での断面図である。図１７及び図１８を参照して、本実施形態では、導電部材５の内周面に強磁性層１３が設けられる。強磁性層１３は、導電部材５の内周面に加えて、導電部材５の内周面に連なる面に設けられてもよい。
【００９４】
本実施形態の渦電流式ダンパ１によれば、第１及び第２永久磁石３、４からボールナット６に向かう磁界は強磁性層１３で遮断される。つまり、上記の第５実施形態と同様に、強磁性層１３が磁界閉込め機構として機能する。これにより、第１及び第２永久磁石３、４によって形成される磁気回路の磁界の漏れが防止され、ボールナット６への磁界の到達が防止される。したがって、磁気回路の磁界の漏れに起因する振動減衰性能の低下を防止できる。
【００９５】
［第７実施形態］
第７実施形態の渦電流式ダンパは、上記した第３実施形態の渦電流式ダンパを変形したものである。
【００９６】
図１９は、第７実施形態の渦電流式ダンパの軸方向に沿った面での断面図である。図１９を参照して、本実施形態では、上記の第５実施形態と同様に、磁石保持部材２の内周面に強磁性層１３が設けられる。そのため、本実施形態の渦電流式ダンパ１によれば、上記の第５実施形態と同様に、ボールナット６への磁界の到達が防止される。したがって、磁気回路の磁界の漏れに起因する振動減衰性能の低下を防止できる。
【００９７】
［第８実施形態］
第８実施形態の渦電流式ダンパは、上記した第４実施形態の渦電流式ダンパを変形したものである。
【００９８】
図２０は、第８実施形態の渦電流式ダンパの軸方向に沿った面での断面図である。図２０を参照して、本実施形態では、上記の第６実施形態と同様に、導電部材５の内周面に強磁性層１３が設けられる。そのため、本実施形態の渦電流式ダンパ１によれば、上記の第６実施形態と同様に、ボールナット６への磁界の到達が防止される。したがって、磁気回路の磁界の漏れに起因する振動減衰性能の低下を防止できる。
【００９９】
強磁性層１３を含む第５〜第８実施形態の渦電流式ダンパに、第１〜第４実施形態の強磁性リング部１２を適用することもできる。
【０１００】
以上、本実施形態の渦電流式ダンパについて説明した。渦電流は導電部材５を通過する磁束の変化により発生するため、第１永久磁石３及び第２永久磁石４が導電部材５に対して相対回転すればよい。また、導電部材５が第１永久磁石３及び第２永久磁石４による磁界の中に存在する限り、導電部材と磁石保持部材との位置関係は特に限定されない。
【０１０１】
その他、本発明は上記の実施形態に限定されず、本発明の趣旨を逸脱しない範囲で、種々の変更が可能であることは言うまでもない。
【産業上の利用可能性】
【０１０２】
本発明の渦電流式ダンパは、建造物の制震装置および免震装置に有用である。
【符号の説明】
【０１０３】
１：渦電流式ダンパ
２：磁石保持部材
３：第１永久磁石
４：第２永久磁石
５：導電部材
６：ボールナット
７：ねじ軸
８ａ、８ｂ：取付具
９：ラジアル軸受
１０：スラスト軸受
１１：ポールピース
１２：強磁性リング部
１３：強磁性層
【図１】
2019078332.tif 000003
【図２】
2019078332.tif 000004
【図３】
2019078332.tif 000005
【図４】
2019078332.tif 000006
【図５】
2019078332.tif 000007
【図６】
2019078332.tif 000008
【図７】
2019078332.tif 000009
【図８】
2019078332.tif 000010
【図９】
2019078332.tif 000011
【図１０】
2019078332.tif 000012
【図１１】
2019078332.tif 000013
【図１２】
2019078332.tif 000014
【図１３】
2019078332.tif 000015
【図１４】
2019078332.tif 000016
【図１５】
2019078332.tif 000017
【図１６】
2019078332.tif 000018
【図１７】
2019078332.tif 000019
【図１８】
2019078332.tif 000020
【図１９】
2019078332.tif 000021
【図２０】
2019078332.tif 000022